(57)【要約】【課題】本発明は包装紙や紙容器としての使い勝手を損なうことなく、内容物の匂いが外部へ発散することを防止し、外部からの匂いの移行も遮断することのできる包装紙および紙容器を提供することを課題とする。【解決手段】紙を基材として一方の面に、表面に無機化合物からなるバリア層を有するバリアフィルムが貼り合わせてあり、基材のもう一方の面には熱可塑性樹脂層を設けてあることを特徴とする包装紙である。また請求項１に記載の包装紙を用いて得られることを特徴とする包装容器である。【選択図】図１
2014051324.tif 000002
【特許請求の範囲】
【請求項１】
紙を基材として一方の面に、
無機化合物からなるバリア層を有するバリアフィルムが貼り合わせてあり、
基材のもう一方の面には熱可塑性樹脂層を設けてあることを特徴とする包装紙。
【請求項２】
請求項１に記載の包装紙を用いて得られることを特徴とする包装容器。
【発明の詳細な説明】
【技術分野】
【０００１】
本発明は包装紙に関するものであり、さらに詳しくは匂いを遮断する機能を持つ包装紙および包装容器に関するものである。
【背景技術】
【０００２】
百貨店をはじめ、あらゆる商業施設では物品の売買に際して、自社のロゴマークやデザインを施した包装紙を使用してさまざまな商品を包装することが行われている。
【０００３】
デパートの食品売り場などでは、生鮮食品や加工食品を取り扱っており、多くの人が利用している。
購入した商品は包装紙で包まれていることが多いが、内容物が匂いの強いものである場合にはその匂いが漏れ出ることがある。
購入した商品を持ち帰るに際して、公共交通機関である電車やバスを利用する場合には、漏れ出た匂いが周囲の迷惑になることもある。
【０００４】
一方で花などの芳香を有する商品あるいはタバコやコーヒーなどの嗜好品の場合には、その芳香を閉じ込めておくことが望まれる場合が多い。
【０００５】
あるいは、石鹸などの場合には、一定期間保管する際に保管場所にこもる匂いが気になるということもあり、長時間にわたって内容物の匂いが外部へ移行することが問題視される場合もある。
【０００６】
反対に商品が匂いの強い環境下に保管される場合においては、外部の匂いが内容物に移行してしまうことが問題とされる場合もある。
どのような匂いが好感をもたれ、どのような匂いが嫌われるかという問題は個人差もあり一概には断ずることはできないが共通していえることは、匂いに関しては多くの場合、遮断性がある包装材料が望まれるといっても良い。
【０００７】
従来はそのような匂いの発散・移行に関しては、金属缶やガラス容器などが使われてきた。
しかし近年では環境意識の高まりから、廃棄物が多く出る包装材料は採用されなくなりつつある。
それに加えて焼却時の有害性や残渣の問題に関してもより安全なものが求められており、とくに食品の包装容器の分野ではプラスチックの利用や、食品用耐水紙、耐油紙への置き換えも盛んに行われている。
【先行技術文献】
【特許文献】
【０００８】
【特許文献１】特許第２７９００５４号公報
【発明の概要】
【発明が解決しようとする課題】
【０００９】
本発明は包装紙や紙容器としての使い勝手を損なうことなく、内容物の匂いが外部へ発散することを防止し、外部からの匂いの移行も遮断することのできる包装紙および紙容器を提供することを課題とする。
【課題を解決するための手段】
【００１０】
上記の課題を解決するための手段として、請求項１に記載の発明は、紙を基材として一方の面に、無機化合物からなるバリア層を有するバリアフィルムが貼り合わせてあり、基材のもう一方の面には熱可塑性樹脂層を設けてあることを特徴とする包装紙である。
【００１１】
また、請求項２に記載の発明は、請求項１に記載の包装紙を用いて得られることを特徴とする包装容器である。
【発明の効果】
【００１２】
本発明による包装紙及び包装容器は、基材の片面にバリア層を有するフィルムを貼り付けてあり、機材のもう一方の面には熱可塑性樹脂層を設けてあるため、耐水、耐油性も備えていて従来の包装紙と同様にとり扱うことができ、内容物の匂いの発散、移行を遮断することに効果を有する。
また匂いの遮断効果は外部環境からの匂いの内容物への移行を遮断することにも効果を有する。
【図面の簡単な説明】
【００１３】
【図１】本発明に係る包装紙の一実施態様を示した模式図である。
【発明を実施するための形態】
【００１４】
以下図面を参照しながら、本発明に関して詳細に説明する。
図１は本発明に係る包装紙の一実施態様を示した模式図である。
（紙基材）
紙基材（７）には薄紙を用いる。
包装紙の場合には坪量は５０ｇ〜８０ｇの薄紙が適切である。紙容器に用いる場合には用途に応じてそれ以上の坪量のものを用いる。
紙の表面には、包装紙として必要に応じてロゴマークや美粧性のための印刷を施しても良い。
【００１５】
（バリアフィルム）
バリアフィルム（５）はフィルム層（１）、バリア層（４）からなり、さらにバリア層（４）は蒸着層（２）、コート層（３）からなる。
フィルム層（１）は高分子樹脂組成物からなるフィルムであって、ポリオレフィン（ポリエチレン、ポリプロピレン等）、ポリエステル（ポリエチレンテレフタレート、ポリブチレンテレフタレート、ポリエチレンナフタレート等）、ポリアミド（ナイロンー６、ナイロンー６６等）、ポリイミドなどが使用でき、用途に応じて適宜選択される。
特にポリプロピレン、ポリエチレンテレフタレートを基材フィルムとする場合は、フィルム強度と価格においてより好ましい。
【００１６】
蒸着層（２）を形成する方法としては，ＳｉＯやＡｌＯなどの無機化合物を蒸着法を用いて基材フィルム上に蒸着層（２）を形成することができる。
また水溶性高分子と、（a）一種以上のアルコキシドまたはその加水分解物、または両者、あるいは（ｂ）塩化錫の、少なくともいずれかひとつを含む水溶液あるいは水／アルコール混合水溶液を主剤とするコーティング剤をフィルム上に塗布し、加熱乾燥してコート層（３）を蒸着層（２）に重ねて形成しバリア層（４）とすることができる。
【００１７】
バリアフィルムとしてアルミニウム箔を用いることも考えられるが、廃棄焼却後の残渣が残るという問題や、通常の包装紙とはコシが異なっており、紙と同様の使い勝手が得られないうえ、コスト面でも高いものとなる。
【００１８】
（接着層）
接着層（６）はバリアフィルム（５）と紙基材（７）との貼り合わせに用いる。
貼り合わせには接着剤を用いたドライラミネート法やエクストルーダーによる樹脂の押し出し法などを用いることができる。
【００１９】
バリアフィルム（５）の貼り合わせにおいては、バリア層（４）の面と紙基材（７）を貼り合わせることが、バリア層を衝撃や摩擦あるいは折り曲げのストレスから保護することができるため望ましい。
これは本発明による包装紙、包装容器いずれの場合においても同様である。
【００２０】
（熱可塑性樹脂）
熱可塑性樹脂層（８）は耐水性、耐油性を付与するために包装紙、包装容器の内容物に接する側に設ける。
また包装紙を包装容器に用いる場合には、シーラント層としても必要な層である。
熱可塑性樹脂層（８）の形成にはポリエチレン樹脂を用いてエクストルーダーの押し出し法を用いることができるが、ポリエチレンフィルムを貼り合わせる方法でもかまわない。
【実施例】
【００２１】
（フィルム層）
フィルムはポリエチレンテレフタレートフィルム（厚さ１２μｍ）を用いた。
（バリア層）
バリア層としてＳｉＯを蒸着源として電子加熱方式による真空蒸着法により膜厚４００Åの蒸着層を形成し、さらに下記組成のコーティング剤を塗布し乾燥させコート層を完成させバリア層とした。
【００２２】
（コーティング剤の成分）
（Ａ）テトラエトキシシラン、〔Ｓｉ（ＯＣ２Ｈ５）４：以下ＴＥＯＳとする〕１０．４ｇに塩酸（０．１Ｎ）８９．６ｇを加え、３０分間攪拌し加水分解させた固形分３ｗｔ％（ＳｉＯ２換算）の加水分解溶液。
（Ｂ）ポリビニールアルコールの３．０ｗｔ％の水／イソプロピルアルコール溶液（水：イソプロピルアルコール重量比で９０：１０）
（Ａ）：（Ｂ）＝（配合比ｗｔ％）６０：４０
こうして出来上がったバリアフィルムのバリア層を紙基材の一方の面と、ウレタン樹脂系の二液反応接着剤を用いてドライラミネート法で貼りあわせた。
さらに紙基材の反対側の面に、ポリエチレン樹脂をエクストルーダーを用いて押し出し１５μｍの厚さで積層し包装紙を作成した。
＜比較例＞
フィルムはポリエチレンテレフタレートフィルム（厚さ１２μｍ）を用いた。
このフィルムにはバリア層を設けずに、紙基材の一方の面とウレタン樹脂系の二液反応接着剤を用いてドライラミネート法を用いて貼り合わせた。
【００２３】
さらに紙基材の反対側の面に、ポリエチレン樹脂をエクストルーダーを用いて押し出し１５μｍの厚さで積層し包装紙を作成した。
すなわちフィルムにバリア層がないこと以外は、実施例と同様にして包装紙を作成した。
【００２４】
（評価）
実施例および比較例で作成した包装紙を用いて、揚げたてのファースト・フードのフライドポテトを梱包し、匂いの程度をパネラー１０人による官能評価で実施した。
結果を表１に示す。
なお表中の記号は、○が匂い無しを表し、△が若干の匂い有りを表し、×が匂い有りを表す。
【００２５】
【表１】
2014051324.tif 000003
表１の結果より、８割の人が実施例１において匂いを感じないと回答し、比較例の場合と比べて明らかな差が出る結果となった。
また各パネラーの個々の評価結果においても、実施例と比較例はすべて実施例のほうが、比較例に比べて、匂いが無いか、あるいは少ない結果となっている。
この結果によれば、本発明による匂いの遮断効果は明らかである。
【符号の説明】
【００２６】
１・・・フィルム層
２・・・蒸着層
３・・・コート層
４・・・バリア層
５・・・バリアフィルム
６・・・接着層
７・・・紙基材
８・・・熱可塑性樹脂層
【図１】
2014051324.tif 000004